(57)【要約】   【課題】  装置、例えばＭＮまたはＨＡが、気付アドレス（CoA）に対する位置登録すべきＨＡが示されたリストを所持し、位置登録する際にリストを参照して、動的にＨＡを割り当てる。  【解決手段】  モバイルＩＰ通信システムは、ネットワークドメインとホームエージェント（ＨＡ）の位置情報とを対応付けたリストを管理するリスト管理手段と、リストの少なくとも一部を送付するリスト送付手段とを有するリスト管理サーバ１４と、リスト管理サーバ１４からリストを受信するリスト受信手段と、自己の気付アドレスと受信したリスト中のネットワークドメインとを比較し、対応するＨＡの位置情報を取得するＨＡ選択手段と、取得されたＨＡの位置情報に基づいて、ＨＡへの位置登録を実行する位置登録手段とを有する通信端末（ＭＮ）２２とを備えている。【選択図】  図１
2005136659.tif 000002
【特許請求の範囲】
【請求項１】
モバイルＩＰ通信において、
ネットワークドメインとホームエージェントの位置情報とを対応付けたリストを管理するリスト管理手段と、当該リストの少なくとも一部を送付するリスト送付手段とを有する管理装置と、
前記管理装置からリストを受信するリスト受信手段と、自己の気付アドレスと受信したリスト中のネットワークドメインとを比較し、対応するホームエージェントの位置情報を取得するホームエージェント選択手段と、前記取得されたホームエージェントの位置情報に基づいて、当該ホームエージェントへの位置登録を実行する位置登録手段とを有する通信端末とを備えたことを特徴とするモバイルＩＰ通信システム。
【請求項２】
モバイルＩＰ通信において、
ＩＰアドレスとホームエージェントの位置情報とを対応付けたリストを管理するリスト管理手段と、当該リストの少なくとも一部を送付するリスト送付手段とを有する管理装置と、
前記管理装置からリストを受信するリスト受信手段と、自己の気付アドレスと受信したリスト中のＩＰアドレスとを比較し、対応するホームエージェントの位置情報を取得するホームエージェント選択手段と、前記取得されたホームエージェントの位置情報に基づいて、当該ホームエージェントへの位置登録を実行する位置登録手段とを有する通信端末とを備えたことを特徴とするモバイルＩＰ通信システム。
【請求項３】
前記通信端末が、定期的に、および／または、所定の場合に、前記管理装置に対して前記リストの送付を要求するように構成されたことを特徴とする請求項１または２に記載のモバイルＩＰ通信システム。
【請求項４】
前記管理装置が、定期的に、および／または、所定の場合に、通信中の通信端末に対して、前記リストをブロードキャストするように構成されたことを特徴とする請求項１または２に記載のモバイルＩＰ通信システム。
【請求項５】
ネットワークドメインとホームエージェントの位置情報とを対応付けたリストを管理するリスト管理手段、および、当該リストの少なくとも一部を送付するリスト送付手段とを有する管理装置と、通信端末とを備えたモバイルＩＰ通信システムにおいて、
前記リスト送付手段から送付されたリストを受信するリスト受信手段と、
通信端末からの気付アドレスと、前記受信したリスト中のネットワークドメインとを比較し、対応するホームエージェントの位置情報を取得するホームエージェント選択手段と、
前記通信端末において位置情報を登録させるために、前記取得したホームエージェントの位置情報を前記通信端末に送信する位置情報送信手段とを有する装置を備えたことを特徴とするモバイルＩＰ通信システム。
【請求項６】
ＩＰアドレスとホームエージェントの位置情報とを対応付けたリストを管理するリスト管理手段、および、当該リストの少なくとも一部を送付するリスト送付手段とを有する管理装置と、通信端末とを備えたモバイルＩＰ通信システムにおいて、
前記リスト送付手段から送付されたリストを受信するリスト受信手段と、
通信端末からの気付アドレスと、前記受信したリスト中のＩＰアドレスとを比較し、対応するホームエージェントの位置情報を取得するホームエージェント選択手段と、
前記通信端末において位置情報を登録させるために、前記取得したホームエージェントの位置情報を前記通信端末に送信する位置情報送信手段とを有する装置を備えたことを特徴とするモバイルＩＰ通信システム。
【請求項７】
前記装置が、定期的に、および／または、所定の場合に、前記管理装置に対して前記リストの送付を要求するように構成されたことを特徴とする請求項５または６に記載のモバイルＩＰ通信システム。
【請求項８】
前記管理装置が、定期的に、および／または、所定の場合に、前記装置に対して、前記リストを配布するように構成されたことを特徴とする請求項５または６に記載のモバイルＩＰ通信システム。
【請求項９】
請求項１または２に記載のモバイルＩＰ通信システムにおいて、
前記通信端末に、少なくともリストの一部を送信することを特徴とする管理装置。
【請求項１０】
請求項５または６に記載のモバイルＩＰ通信システムにおいて、
前記管理装置から受信したリストを参照して、通信端末が位置登録すべきホームエージェントの位置情報を前記通信端末に送信することを特徴とする装置。
【請求項１１】
モバイルＩＰ通信において、
管理装置において、ネットワークドメインとホームエージェントの位置情報とを対応付けたリストを管理するリスト管理ステップと、
当該リストの少なくとも一部を送付するリスト送付ステップとを備え、
通信端末において、
前記管理装置からリストを受信するリスト受信ステップと、
自己の気付アドレスと受信したリスト中のネットワークドメインとを比較し、対応するホームエージェントの位置情報を取得するホームエージェント選択ステップと、
前記取得されたホームエージェントの位置情報に基づいて、当該ホームエージェントへの位置登録を実行する位置登録ステップとを備えたことを特徴とするモバイルＩＰ通信方法。
【請求項１２】
モバイルＩＰ通信において、
管理装置において、ＩＰアドレスとホームエージェントの位置情報とを対応付けたリストを管理するリスト管理ステップと、
当該リストの少なくとも一部を送付するリスト送付ステップとを備え、
通信端末において、
前記管理装置からリストを受信するリスト受信ステップと、
自己の気付アドレスと受信したリスト中のＩＰアドレスとを比較し、対応するホームエージェントの位置情報を取得するホームエージェント選択ステップと、
前記取得されたホームエージェントの位置情報に基づいて、当該ホームエージェントへの位置登録を実行する位置登録ステップとを備えたことを特徴とするモバイルＩＰ通信方法。
【請求項１３】
ネットワークドメインとホームエージェントの位置情報とを対応付けたリストを管理するリスト管理手段、および、当該リストの少なくとも一部を送付するリスト送付手段とを有する管理装置と、通信端末とを備えたモバイルＩＰ通信システムにおいて、
前記管理装置と通信端末と接続可能な装置において、
前記管理装置から送付されたリストを受信するリスト受信ステップと、
通信端末からの気付アドレスと、前記受信したリスト中のネットワークドメインとを比較し、対応するホームエージェントの位置情報を取得するホームエージェント選択ステップと、
前記通信端末において位置情報を登録させるために、前記取得したホームエージェントの位置情報を前記通信端末に送信する位置情報送信ステップとを備えたことを特徴とするモバイルＩＰ通信方法。
【請求項１４】
ＩＰアドレスとホームエージェントの位置情報とを対応付けたリストを管理するリスト管理手段、および、当該リストの少なくとも一部を送付するリスト送付手段とを有する管理装置と、通信端末とを備えたモバイルＩＰ通信システムにおいて、
前記管理装置と通信端末と接続可能な装置において、
前記管理装置から送付されたリストを受信するリスト受信ステップと、
通信端末からの気付アドレスと、前記受信したリスト中のＩＰアドレスとを比較し、対応するホームエージェントの位置情報を取得するホームエージェント選択ステップと、
前記通信端末において位置情報を登録させるために、前記取得したホームエージェントの位置情報を前記通信端末に送信する位置情報送信ステップとを備えたことを特徴とするモバイルＩＰ通信方法。
【発明の詳細な説明】
【技術分野】
【０００１】
本発明は、現在の位置情報を位置管理ノードへ登録することによって、通信の移動透過性を提供するモビリティ制御ネットワークのアーキテクチャに関する。
【背景技術】
【０００２】
モバイルノード（ＭＮ）の移動に伴い、ＭＮの位置管理を行うホームエージェント（ＨＡ）を変更する概念、技術として、ダイナミックＨＡアロケーション方式(1)や、ダイナミックＨＡアサインメント方式(2)がある。
【０００３】
(1)の場合、ＭＮは接続しているセグメントに対して位置登録メッセージをブロードキャストし、それに対して応答があったサーバ（ノード）をＨＡと認識し、そして改めてそのサーバ（ノード）に位置登録する。
【０００４】
一方(2)の場合、ＭＮが記憶しているＨＡ(以下、「old ＨＡ」とも称する)に対して位置登録メッセージを送信し、old
ＨＡが新たなＨＡ(以下、「new ＨＡ」とも称する)にそれを転送することで、動的にＨＡが割り当てられる。
【非特許文献１】「Mobile IPv4 Dynamic Home Agent Assignment Framework」、M.Kulkarni, A.Patel, K. Leung共著、17 October 2003
【発明の開示】
【発明が解決しようとする課題】
【０００５】
ダイナミックＨＡアロケーション方式においては、位置登録メッセージのブロードバンドにより冗長なトラヒックが発生し、ＨＡを認識するまでの遅延が生じる、という問題が生じる。
【０００６】
また、ダイナミックＨＡアサインメント方式においては、new ＨＡの決定方法についての具体的な手法については定まっていない。
【０００７】
本発明は、装置、例えばＭＮまたはＨＡが、気付アドレス（CoA）に対する位置登録すべきＨＡが示されたリストを所持し、位置登録する際に、当該リストを参照し、動的にＨＡを割り当てることで、上記課題を解決できる通信システムを提供することを目的とする。
【課題を解決するための手段】
【０００８】
本発明の目的は、モバイルＩＰ通信において、ネットワークドメインとホームエージェントの位置情報とを対応付けたリストを管理するリスト管理手段と、当該リストの少なくとも一部を送付するリスト送付手段とを有する管理装置と、前記管理装置からリストを受信するリスト受信手段と、自己の気付アドレスと受信したリスト中のネットワークドメインとを比較し、対応するホームエージェントの位置情報を取得するホームエージェント選択手段と、前記取得されたホームエージェントの位置情報に基づいて、当該ホームエージェントへの位置登録を実行する位置登録手段とを有する通信端末とを備えたことを特徴とするモバイルＩＰ通信システムにより達成される。
【０００９】
また、本発明の目的は、モバイルＩＰ通信において、ＩＰアドレスとホームエージェントの位置情報とを対応付けたリストを管理するリスト管理手段と、当該リストの少なくとも一部を送付するリスト送付手段とを有する管理装置と、前記管理装置からリストを受信するリスト受信手段と、自己の気付アドレスと受信したリスト中のＩＰアドレスとを比較し、対応するホームエージェントの位置情報を取得するホームエージェント選択手段と、前記取得されたホームエージェントの位置情報に基づいて、当該ホームエージェントへの位置登録を実行する位置登録手段とを有する通信端末とを備えたことを特徴とするモバイルＩＰ通信システムによっても達成される。
【００１０】
本発明によれば、ネットワークドメインやＩＰアドレスに対応して、位置登録すべきホームエージェント（ＨＡ）の位置情報を通信端末が知ることができる。したがって、ネットワークドメインを跨ぐ経路切り換え（ハンドオフ）が行われた場合などでも、通信端末が保持するリストを参照することで、切り換え後のＨＡの位置情報を、切り換えのたびに管理装置に問い合わせることなく取得でき、迅速な切り換えを実現するとともに、問い合わせ処理で生じるトラヒックを削減することが可能となる。
【００１１】
前記リスト送付手段において送付されるものは、リスト全体、リストの一部、或いは、ネットワークドメインやＩＰアドレスとＨＡの位置情報とを対応付けたものであって良い。
【００１２】
好ましい実施態様においては、前記通信端末が、定期的に、および／または、所定の場合に、前記管理装置に対して前記リストの送付を要求するように構成されている。或いは、前記管理装置が、定期的に、および／または、所定の場合に、通信中の通信端末に対して、前記リストをブロードキャストするように構成されていても良い。
【００１３】
また、本発明の目的は、ネットワークドメインとホームエージェントの位置情報とを対応付けたリストを管理するリスト管理手段、および、当該リストの少なくとも一部を送付するリスト送付手段とを有する管理装置と、通信端末とを備えたモバイルＩＰ通信システムにおいて、前記リスト送付手段から送付されたリストを受信するリスト受信手段と、通信端末からの気付アドレスと、前記受信したリスト中のネットワークドメインとを比較し、対応するホームエージェントの位置情報を取得するホームエージェント選択手段と、前記通信端末において位置情報を登録させるために、前記取得したホームエージェントの位置情報を前記通信端末に送信する位置情報送信手段とを有する装置を備えたことを特徴とするモバイルＩＰ通信システムによっても達成される。
【００１４】
また、本発明の目的は、ＩＰアドレスとホームエージェントの位置情報とを対応付けたリストを管理するリスト管理手段、および、当該リストの少なくとも一部を送付するリスト送付手段とを有する管理装置と、通信端末とを備えたモバイルＩＰ通信システムにおいて、前記リスト送付手段から送付されたリストを受信するリスト受信手段と、通信端末からの気付アドレスと、前記受信したリスト中のＩＰアドレスとを比較し、対応するホームエージェントの位置情報を取得するホームエージェント選択手段と、前記通信端末において位置情報を登録させるために、前記取得したホームエージェントの位置情報を前記通信端末に送信する位置情報送信手段とを有する装置を備えたことを特徴とするモバイルＩＰ通信システムによっても達成される。これら発明において、ホームエージェントが上記装置として機能するのが望ましい。無論、ホームエージェント以外のものが、上記装置として機能し得ることはいうまでもない。
【００１５】
好ましい実施態様においては、前記装置が、定期的に、および／または、所定の場合に、前記管理装置に対して前記リストの送付を要求するように構成されている。或いは、前記管理装置が、定期的に、および／または、所定の場合に、前記装置に対して、前記リストを配布するように構成されていても良い。
【００１６】
また、本発明の目的は、本発明の特許請求の範囲の請求項１または２に記載のモバイルＩＰ通信システムにおいて、前記通信端末に、少なくともリストの一部を送信することを特徴とする管理装置によっても達成される。或いは、本発明の目的は、特許請求の範囲の  請求項５または６に記載のモバイルＩＰ通信システムにおいて、前記管理装置から受信したリストを参照して、通信端末が位置登録すべきホームエージェントの位置情報を前記通信端末に送信することを特徴とする装置によっても達成される。
【００１７】
さらに、本発明の目的は、モバイルＩＰ通信において、管理装置において、ネットワークドメインとホームエージェントの位置情報とを対応付けたリストを管理するリスト管理ステップと、当該リストの少なくとも一部を送付するリスト送付ステップとを備え、通信端末において、前記管理装置からリストを受信するリスト受信ステップと、自己の気付アドレスと受信したリスト中のネットワークドメインとを比較し、対応するホームエージェントの位置情報を取得するホームエージェント選択ステップと、前記取得されたホームエージェントの位置情報に基づいて、当該ホームエージェントへの位置登録を実行する位置登録ステップとを備えたことを特徴とするモバイルＩＰ通信方法によっても達成される。
【００１８】
或いは、本発明の目的は、モバイルＩＰ通信において、管理装置において、ＩＰアドレスとホームエージェントの位置情報とを対応付けたリストを管理するリスト管理ステップと、当該リストの少なくとも一部を送付するリスト送付ステップとを備え、通信端末において、前記管理装置からリストを受信するリスト受信ステップと、自己の気付アドレスと受信したリスト中のＩＰアドレスとを比較し、対応するホームエージェントの位置情報を取得するホームエージェント選択ステップと、前記取得されたホームエージェントの位置情報に基づいて、当該ホームエージェントへの位置登録を実行する位置登録ステップとを備えたことを特徴とするモバイルＩＰ通信方法によっても達成される。
【００１９】
別の実施態様において、ネットワークドメインとホームエージェントの位置情報とを対応付けたリストを管理するリスト管理手段、および、当該リストの少なくとも一部を送付するリスト送付手段とを有する管理装置と、通信端末とを備えたモバイルＩＰ通信システムにおいて、モバイルＩＰ通信方法は、前記管理装置と通信端末と接続可能な装置において、前記管理装置から送付されたリストを受信するリスト受信ステップと、通信端末からの気付アドレスと、前記受信したリスト中のネットワークドメインとを比較し、対応するホームエージェントの位置情報を取得するホームエージェント選択ステップと、前記通信端末において位置情報を登録させるために、前記取得したホームエージェントの位置情報を前記通信端末に送信する位置情報送信ステップとを備えている。
【００２０】
さらに別の実施態様において、ＩＰアドレスとホームエージェントの位置情報とを対応付けたリストを管理するリスト管理手段、および、当該リストの少なくとも一部を送付するリスト送付手段とを有する管理装置と、通信端末とを備えたモバイルＩＰ通信システムにおいて、モバイルＩＰ通信方法は、前記管理装置と通信端末と接続可能な装置において、前記管理装置から送付されたリストを受信するリスト受信ステップと、通信端末からの気付アドレスと、前記受信したリスト中のＩＰアドレスとを比較し、対応するホームエージェントの位置情報を取得するホームエージェント選択ステップと、前記通信端末において位置情報を登録させるために、前記取得したホームエージェントの位置情報を前記通信端末に送信する位置情報送信ステップとを備えている。
【発明の効果】
【００２１】
本発明によれば、ネットワークドメインを跨ぐ経路切り換え（ハンドオフ）が行われた場合などでも、通信端末が保持するリストを参照することで、切り換え後のＨＡの位置情報を、切り換えのたびに管理装置に問い合わせることなく取得でき、迅速な切り換えを実現するとともに、問い合わせ処理で生じるトラヒックを削減することが可能となる。また、例えば、ＨＡがリストを保持することで、管理装置に問い合わせることなく、迅速な切り換えを実現し、問い合わせ処理で生じるトラヒックを削減することが可能となる。
【発明を実施するための最良の形態】
【００２２】
以下、添付図面を参照して、本発明の実施の形態について説明する。図１は、本発明の第１の実施の形態にかかるネットワークアーキテクチャの概略を示すブロックダイヤグラムである。図１に示すように、本実施の形態にかかるネットワークアーキテクチャにおいては、複数のホームエージェント（ＨＡ）１２−１、１２−２、・・・や、ＨＡリスト管理サーバ１４が、ネットワーク１０に接続されている。各ＨＡ１２には、フォーリンエージェント（図中「ＦＡ
」で示す）１６−１、１６−２、・・・が接続されている。このようなネットワークアーキテクチャにおいて、移動端末であるモバイルノード（ＭＮ）は、後述するように、ＨＡ１２への位置登録を行うことで、コレスポンデントノード（ＣＮ）からのパケット受信が可能となる。
【００２３】
図２（ａ）に示すように、本実施の形態にかかるＨＡリスト管理サーバ１４は、ネットワークドメインごとに、当該ネットワークドメインに位置するＭＮが位置登録すべきＨＡを示すＨＡ割り当てリスト２８と、ＨＡ割り当てリストの配信処理を実行するリスト配信部３０とを有している。
【００２４】
図３に示すように、ＨＡ１２は、位置登録制御部３２、位置登録管理部３４、トンネリング処理部３６、位置登録部４０、位置登録ＤＢ４２、ホームアドレス（HoA）生成部４４、ＨＡリスト管理サーバ１４からのＨＡ割り当てリスト５４を受信するリスト受信部４６、受信したリストを保持するリスト保持部４８を有している。さらに、後述するように、ＭＮから気付アドレス（CoA）受信後、前記リストを参照し、ＭＮが位置登録すべきＨＡを特定するリスト参照部５２、及び当該ＨＡの位置情報をＭＮに通知するＨＡ位置情報通知部５６を有する。
【００２５】
ＨＡは、それぞれ、ネットワークトポロジにおいて、設定された種々の階層に配置されている。たとえば、移動端末基地局という階層に位置していても良いし、オフィスビルという階層に位置しても良い。後に詳述するように、ＭＮは、自己の位置に基づいて、何れかのＨＡに位置を登録することになる。つまり、本実施の形態において、ＨＡはローカル位置登録サーバとして機能する。
【００２６】
また、図２（ｂ）に示すように、ＭＮ２２は、位置登録制御部６２、位置登録部６４、リスト受信部６６、リスト保持部６８を有している。
位置登録制御部６２は、ＭＮが、どのＨＡへ位置登録しているかを判断して、管理する。
リスト受信部６６は、ＨＡリスト管理サーバ１４からのＨＡ割り当てリスト７２を受信し、リスト保持部６８で受信したリストを保持する。さらに、自己の気付アドレス（CoA）に基づいて、前記リストを参照し、ＭＮが位置登録すべきＨＡを特定するリスト参照部７０、及び、あるＨＡから当該ＭＮが位置登録すべきＨＡの位置情報を受信するＨＡ位置情報受信部７４を有する。
【００２７】
このように構成されたネットワークアーキテクチャにおけるＣＮからＭＮへのパケット伝送について説明する。
図４に示すように、あるＨＡ１２−１（以下、「ＨＡ(#1)１２−１」とも称する。）の管理対象（符号４１０）のうち、あるセグメント４１１において、ＭＮ２２の電源がオンになったと考える（ステップ４０１）。ＭＮが、他のＨＡの管理対象から、セッションが途切れた状態で移動してきたときであっても良い。
【００２８】
図４の例において、端末ＭＮの電源投入時には、端末ＭＮは、ＦＡ(#1)がブロードキャストしているエージェント広告を受信し（ステップ４０２）、新たな気付アドレス（CoA）「AAA」を取得する。同時に、自己が新たなＨＡが管理するネットワークに接続していることを認識する。
【００２９】
また、端末ＭＮは、ＨＡの位置情報を管理している管理サーバ（不図示）への問合せ、内部メモリを参照する、等により、電源投入時の位置登録すべきＨＡを認識することができる。
ＭＮ２２は、ＨＡ(#1)１２−１に対して、ＩＰアドレス「AAA」の位置登録を要求する（ステップ４０３）。ＨＡ(#1)１２−１は、受信したＩＰアドレス「AAA」に対応するホームアドレス（HoA）「XXX」を生成し、位置登録ＤＢ４２にＩＰアドレス「AAA」と「XXX」を対応付けて登録する（ステップ４０４）。
【００３０】
次に、コレスポンデントノード(ＣＮ)５０が、ＭＮ２２に対して、パケットを送信しようとする場合を考える。
ＣＮ５０は、パケットを、ＩＰアドレス「XXX」宛てで送信する（ステップ４０５、４０６）。ここで、パケットにおいては、「dst=XXX,
src=ＣＮ」となる。
【００３１】
パケットはＨＡ(#1)１２−１に受信され、ＨＡ(#1)１２−１は位置登録ＤＢ４２を参照し、
ＩＰアドレス「XXX」に対応するＩＰアドレス「AAA」を特定し、「AAA」にトンネリングすることにより（ステップ４０７）、ＭＮ２２にパケットを届けることが可能となる。
本実施の形態においては、ＨＡリスト管理サーバ１４から、ＨＡ割り当てリストがＭＮ２２に送付される（ステップ４０８）。図６は、本実施の形態にかかるＨＡ割り当てリストの一例を示す図である。図６に示すように、ＨＡ割り当てリストは、セグメント（ネットワークドメイン）ごとに、対応するＨＡのＩＰアドレスが記載されている。
【００３２】
ＨＡリスト管理サーバ１４は、上記ＨＡ割り当てリスト全体をＭＮに送付しても良いし、所定のセグメントの範囲およびそれに対応するＨＡのＩＰアドレスを含むリストの部分をＭＮに送付しても良い。或いは、ＭＮが位置するセグメントに対応するＨＡのＩＰアドレスのみが、ＭＮに送付されても良い。以下、リスト全体、リストの部分、或いは、セグメントとＩＰアドレスとを対応させたものを総称して「リスト」と称する。リストは、ＭＮによるＨＡへの位置登録の際に参照されるものであるが、これについては後に詳述する。
【００３３】
次に、ＭＮ２２が、同一のＨＡ(#1)１２−１の管理対象（符号４１０参照）内の別のセグメント４１２に移動した場合について説明する。この移動は、本明細書において、場合によって、「マイクロ移動」とも称する。
【００３４】
図５に示すように、ＭＮ２２が別のセグメント４１２に移動すると（ステップ５０１）、ＭＮ２２は、受信したリストを参照して（ステップ５０２）、新たな気付アドレス（CoA）と、リスト中のセグメント（ネットワークドメイン）とを比較し、自己が属するセグメントに対応付けられたＨＡのＩＰアドレスを特定し、当該ＨＡに対して位置登録を要求する。図５の例では、ＭＮはリストを参照した結果、ＨＡ(#1)を位置登録すべきＨＡと認識し、ＨＡ（#1）に対してＩＰアドレス「BBB」の位置登録を要求する（ステップ５０３）。ＨＡ(#1)１２−１は、位置登録ＤＢ４２を参照し、ＩＰアドレス「AAA」をＩＰアドレス「BBB」に書き換え、ＩＰアドレス「BBB」とホームアドレス（HoA）「XXX」を対応付けて登録する（ステップ５０４）。
【００３５】
ＣＮ５０がＭＮ２２に対してパケットを送信する場合は、以下のような動作となる。
ＣＮ５０は、パケットを、「dst=XXX,src=ＣＮ」宛てで送信する（ステップ５０５、５０６）。
ＣＮからの「XXX」宛てのパケットは、ＨＡ(#1)１２−1により受信される。ＨＡ(#1)１２−１は、ＭＮ２２の現在のＩＰアドレスが「BBB」であることを把握しているので、パケットを、アドレス「BBB」にトンネリングする（ステップ５０７）。このようにして、ＭＮ２２は、同じＨＡの管理対象の別セグメントへの移動（マイクロ移動）の場合であっても、セッションが途切れることなく確実にパケットを受信することができる。
【００３６】
次に、ＭＮ２２が、他のＨＡ（ＨＡ(#2)１２−２）の管理対象にあるセグメントに移動した場合について図７で説明する。この移動は、「マクロ移動」とも称する。
【００３７】
ＭＮがＨＡ(#2)１２−２の管轄にあるセグメントに移動した場合（ステップ７０１）、ＭＮ２２は、リストを参照して（ステップ７０２）、新たな気付アドレス（CoA）と、リスト中のセグメント（ネットワークドメイン）とを比較し、自己が属するセグメントに対応付けられたＨＡのＩＰアドレスを特定し、当該ＨＡに対して位置登録を要求する。図７の例では、リストを参照した結果、ＨＡ(#2)１２−２に対して位置登録を要求する（ステップ７１１）。ＨＡ(#2)１２−２は、位置登録の要求に応答して、当該ＭＮ２２の新たなＩＰアドレス「CCC」に対応するホームアドレス（HoA）「YYY」を生成し、位置登録ＤＢ４２にＩＰアドレス「YYY」と「CCC」を対応付けて登録する（ステップ７１２）。
【００３８】
通信中にＭＮ２２が移動した場合は、ＭＮ２２は新たなＩＰアドレス「CCC」をＨＡ(#1)１２−１に位置登録することで（ステップ７０３）、セッションが途切れることなく、パケット伝送を実現することが可能となる。通信終了後、前述の処理により、ＨＡ(#2)１２−２に位置登録が行われ、ＨＡ(#1)１２−１の位置情報は削除される。
【００３９】
次に、ＣＮ５０がＭＮ２２に対してパケットを送信する場合は以下のような動作となる。
ＣＮ５０は、パケットを、「dst=YYY,src=ＣＮ」宛てで送信する（ステップ７０４、７０５）。
ＣＮからの「YYY」宛てのパケットは、ＨＡ(#2)１２−２により受信される。ＨＡ(#2)１２−２は、ＭＮ２２の現在のＩＰアドレスが「CCC」であることを把握しているので、パケットを、アドレス「CCC」にトンネリングする（ステップ７０６）。このようにして、ＭＮ２２は、他のＨＡの管理対象にあるセグメントへの移動（マクロ移動）の場合であっても、セッションが途切れることなく確実にパケットを受信することができる。
【００４０】
このように、本実施の形態によれば、ＨＡリスト管理サーバから、セグメント（ネットワークドメイン）ごとに対応するＨＡのＩＰアドレスが対応付けられたＨＡ割り当てリストの全部、一部、或いは、所定のセグメントとＨＡのＩＰアドレスとが対応されたものがＭＮに送付される。したがって、ＭＮは、受信した上記リストを参照して、位置登録をすべきＨＡを知ることができる。したがって、ある建物や特定の地域にセグメント（ネットワークドメイン）が割り当てられており、そのセグメントに位置するＭＮは、他のセグメントのＨＡに位置登録すべき場合であっても、ＨＡを知ることができ、これにより適切な位置登録が可能である。
【００４１】
なお、上記実施の形態において、電源オンのときなど、初期的なＭＮの位置登録に際して、ＨＡリスト管理サーバからＭＮにリストが配布されているが、リストの配布タイミングはこれに限定されるものではない。たとえば、ＭＮが、電源オン時、ＭＮのメモリクリア時にＨＡリスト管理サーバにリストの配布を求めても良い。あるいは、ＭＮが、定期的にＨＡリスト管理サーバにリストの配布を求めても良い。ＨＡリスト管理サーバには、新たに設置されるＨＡのＩＰアドレスなどの情報、ＨＡのＩＰアドレスの変更や掌握するセグメント（ネットワークドメイン）の変更などが通知され、これに基づいて、ＨＡ割り当てリストが更新されている。したがって、上述したようにＭＮが適宜新たなリストを受信することで、ＭＮも更新されたリストにしたがって適切なＨＡに位置登録することが可能となる。
【００４２】
或いは、ＭＮがリスト配布を求めることに代えて、或いは、リストを求めることに加えて、ＨＡリスト管理サーバが、定期的に、接続中のＭＮに対して、ＨＡ割り当てリストをブロードキャストしても良い。さらに、定期的な配布に代えて、或いは、これに加えて、ＨＡ割り当てリストのデータの追加、更新、削除などがあったときに、ＨＡリスト管理サーバが、ＭＮに、ＨＡ割り当てリストをブロードキャストしてもよい。
【００４３】
また、前記実施の形態において、ＭＮは、ＨＡリスト管理サーバから配布されたリストを保持しておき、これを参照するように構成されている。これにより、セグメントが変わるごとにＭＮがＨＡリスト管理サーバにアクセスする事態を防止できる。ＨＡの位置情報を管理するサーバはＨＡリスト管理サーバに限られず、不図示の管理サーバであってもよい。また、これに限定されず、ＭＮが配布されたリストを使用して、ＨＡのＩＰアドレスを特定した後、これを記憶せずに廃棄しても良い。この場合には、必要のたびにＭＮはリストの配布を求める必要があるが、ＭＮにおいてリストを記憶する必要がないため、必要なメモリ容量を小さくすることが可能となる。
【００４４】
次に、本発明の第２の実施の形態について説明する。第１の実施の形態においては、ＭＮがＨＡリスト管理サーバからＨＡ割り当てリストの全体や部分などを取得するように構成されているが、第２の実施の態様においては、ＨＡが、ＨＡ中の記憶装置にＨＡ割り当てリストを保持し、ＭＮに必要な情報を与えられるようになっている。
【００４５】
図８に示すように、この実施の形態では、ＨＡが定期的にＨＡリスト管理サーバ１４から、ＨＡ割り当てリストの配布を求め、配布されたリストを記憶しておく（ステップ８００−ａ、８００−ｂ）。たとえば、ＨＡ(#1)１２−１が管轄するセグメントに位置していたＭＮ２２が、他のＨＡ（たとえば、ＨＡ(#2)１２−２の管轄のセグメントに移動した場合、つまり、マクロ移動した場合に（ステップ８０１）、ＭＮ２２からＨＡ(#1)１２−１に、当該ＭＮ２２の新たな気付アドレス(CoA)が送信される（ステップ８０２）。ＨＡ(#1)１２−１は、これに応答して、受信した新たな気付アドレス(CoA)と、ＨＡ割り当てリスト中のセグメント（ネットワークドメイン）とを比較し、当該ＭＮが位置登録すべきＨＡの位置情報（ＩＰアドレス）を選択する。ＨＡ(#1)１２−１は、選択されたＨＡ（この場合、ＨＡ(#2)１２−２）の位置情報をＭＮに送信する（ステップ８０３）。ＭＮ２２は、受信したＨＡの位置情報を参照して、当該ＨＡ（ＨＡ(#2)１２−２）に位置登録する（ステップ８０４）。ＣＮからのデータの伝搬経路は第１の実施の形態と同様である。
【００４６】
なお、第２の実施の形態においては、ＭＮの電源オン時や初期動作時においては、当該ＭＮは位置登録すべきＨＡの位置情報（ＩＰアドレス）を取得するため、ＨＡの位置情報を管理している管理サーバ（不図示）に問い合わせる。当該管理サーバがＨＡリスト管理サーバ１４である場合もある。
【００４７】
また、元のＨＡ（ＨＡ(#1)１２−１）においては、選択したＨＡの位置情報をＭＮに送信した後、当該ＭＮとの接続を切断すればよい。これにより、ＨＡが管轄しているＭＮの数を抑制することができる。また、ＭＮと接続されているＨＡが複数個存在するような事態を回避することもできる。
【００４８】
ＨＡ割り当てリストは、第２の実施の形態のように、定期的にＨＡが、ＨＡリスト管理サーバに対して配布を求めても良い。或いは、ＨＡがリスト配布を求めることに代えて、或いは、リストを求めることに加えて、ＨＡリスト管理サーバが、定期的に、ＨＡに対して、ＨＡ割り当てリストをブロードキャストしても良い。さらに、定期的な配布に代えて、或いは、これに加えて、ＨＡ割り当てリストのデータの追加、更新、削除などがあったときに、ＨＡリスト管理サーバが、ＨＡに、ＨＡ割り当てリストをブロードキャストしてもよい。
【００４９】
本発明は、以上の実施の形態に限定されることなく、特許請求の範囲に記載された発明の範囲内で、種々の変更が可能であり、それらも本発明の範囲内に包含されるものであることは言うまでもない。
たとえば、前記実施の形態において、ＨＡ割り当てリストは、テーブル形式であっても良い。また、前記実施の形態において、ＨＡの位置情報としてＩＰアドレスを利用しているが、他の情報も利用可能である。
【００５０】
また、前記第１の実施の形態において、ＨＡ割り当てリストには、セグメント（ネットワークドメイン）と、当該セグメントを管轄するＨＡのＩＰアドレスとが対応付けられ、ＭＮの気付アドレス（CoA）と、ＨＡ割り当てリストのセグメント（ネットワークドメイン）とが比較されている。しかしながら、これに限定されるものではなく、ＨＡ割り当てリストに、ＩＰアドレスと、当該ＩＰアドレスを持ったＭＮが位置登録すべきＨＡのＩＰアドレスとを対応付けておき、ＩＰアドレス同士の比較によって、ＭＮが位置登録すべきＨＡのＩＰアドレスが選択されるように構成しても良い。
【図面の簡単な説明】
【００５１】
【図１】図１は、本発明の実施の形態にかかるモバイルＩＰ通信システムの概略を示すブロックダイヤグラムである。
【図２】図２（ａ）は、本実施の形態にかかるＨＡリスト管理サーバの構成を示すブロックダイヤグラム、図２（ｂ）は、本実施の形態にかかるＭＮの構成を示すブロックダイヤグラムである。
【図３】図３は、本実施の形態にかかるＨＡの構成を示すブロックダイヤグラムである。
【図４】図４は、第１の本実施の形態におけるＨＡ、ＭＮ、ＨＡリスト管理サーバ等にて実行される処理およびこれらの間のデータ伝送の例を説明する図である。
【図５】図５は、本実施の形態におけるＨＡ、ＭＮ、ＨＡリスト管理サーバ等にて実行される処理およびこれらの間のデータ伝送の他の例を説明する図である。
【図６】図６は、本実施の形態にかかるＨＡ割り当てリストの例を示す図である。
【図７】図７は、本実施の形態におけるＨＡ、ＭＮ、ＨＡリスト管理サーバ等にて実行される処理およびこれらの間のデータ伝送のさらに他の例を説明する図である。
【図８】図８は、第２の本実施の形態におけるＨＡ、ＭＮ、ＨＡリスト管理サーバ等にて実行される処理およびこれらの間のデータ伝送の例を説明する図である。
【符号の説明】
【００５２】
１２      ホームエージェント（ＨＡ）
１４      ＨＡリスト管理サーバ
２２      モバイルノード（ＭＮ）
５０      コレスポンデントノード（ＣＮ）
【図１】
2005136659.tif 000003
【図２】
2005136659.tif 000004
【図３】
2005136659.tif 000005
【図４】
2005136659.tif 000006
【図５】
2005136659.tif 000007
【図６】
2005136659.tif 000008
【図７】
2005136659.tif 000009
【図８】
2005136659.tif 000010
【手続補正書】
【提出日】平成16年4月2日(2004.4.2)
【手続補正１】
【補正対象書類名】明細書
【補正対象項目名】００３１
【補正方法】変更
【補正の内容】
【００３１】
パケットはＨＡ(#1)１２−１に受信され、ＨＡ(#1)１２−１は位置登録ＤＢ４２を参照し、ＩＰアドレス「AAA」にトンネリングすることにより（ステップ４０７）、ＭＮ２２にパケットを届けることが可能となる。
本実施の形態においては、ＨＡリスト管理サーバ１４から、ＨＡ割り当てリストがＭＮ２２に送付される（ステップ４０８）。図６は、本実施の形態にかかるＨＡ割り当てリストの一例を示す図である。図６に示すように、ＨＡ割り当てリストは、セグメント（ネットワークドメイン）ごとに、対応するＨＡのＩＰアドレスが記載されている。
【手続補正２】
【補正対象書類名】図面
【補正対象項目名】図４
【補正方法】変更
【補正の内容】
【図４】
2005136659.tif 000011